【手続補正書】
【提出日】平成15年12月16日(2003.12.16)
【手続補正１】
【補正対象書類名】明細書
【補正対象項目名】特許請求の範囲
【補正方法】変更
【補正の内容】
【特許請求の範囲】
【請求項１】
電子写真画像形成装置本体に着脱可能な現像カートリッジの組み立て方法において、
（ａ）トナーを収納しているトナー収納部を有するトナーフレームと、トナーフレームと結合している現像フレームとを有するＤＴ容器ユニットを準備して、
（ｂ）現像フレームに、現像ローラにトナーを塗布するトナー塗布ローラを取り付けるトナー塗布ローラ取り付け工程と、
を有し、
（ｃ）現像フレームに、現像ローラの周面に付着するトナーの量を規制する現像ブレードを取り付ける現像ブレート取り付け工程、現像ローラの一端側であって、現像フレームに第一のサイドカバーを取り付ける第一のサイドカバー取り付け工程、及び、現像ローラの他端側であって、現像フレームに第二のサイドカバーを取り付ける第二のサイドカバー取り付け工程のいずれかの工程の次に、現像フレームに電荷付与ローラを取り付けるにあたって、電荷付与ローラを支持している電荷付与ローラ支持部材の長手方向の一端側を電圧の供給を受けるためのフレーム電圧供給接点と接触させ、他端側を装置本体とアースをとるためのフレームアース接点部材と接触させるように電荷付与ローラを現像フレームに取り付ける電荷付与ローラ取り付け工程と、
を有することを特徴とする現像カートリッジの組み立て方法。
【請求項２】
現像ブレードは、弾性部材と、弾性部材を支持するための支持部材とを有しており、支持部材部分に設けられた穴が現像フレームに設けられた位置決め突起に嵌合することによって、現像ブレードは現像フレームに位置決めされることを特徴とする請求項１に記載の現像カートリッジの組み立て方法。
【請求項３】
現像ブレードを取り付けるにあたって現像フレームに設けられた、位置決めのための突起に下側保持部材、現像ブレード、及び、上側保持部材を位置決めした後に、下側保持部材、現像ブレード、及び、上側保持部材を現像フレームにネジ留めすることを特徴とする請求項１または請求項２に記載の現像カートリッジの組み立て方法。
【請求項４】
更に、トナー収納部からトナーが漏れ出るのを防止し、また現像カートリッジを使用するのに先立って使用者によって除去されるトナーシールを、ＤＴ容器ユニットの有するトナーフレームと現像フレームとの間に取り付けるトナーシール取付け工程を有することを
特徴とする請求項１〜請求項３のいずれか一つに記載の現像カートリッジの組み立て方法。
【請求項５】
更に、ＤＴ容器ユニットにトナー塗布ローラを取り付けるのに先立って、その周面にトナーを付着させるトナー付着工程を有することを特徴とする請求項１〜請求項４のいずれか一つに記載の現像カートリッジの組み立て方法。
【請求項６】
現像ブレード取り付け工程において、現像ブレードをＤＴ容器ユニットにねじによって取り付ける、また、第一のサイドカバー取付け工程において第一のサイドカバーをＤＴ容器ユニットにねじによって取り付けることを特徴とする請求項１〜請求項５のいずれか一つに記載の現像カートリッジの組み立て方法。
【請求項７】
更に、ＤＴ容器ユニットには、トナーに電荷を付与する電荷付与ローラが現像ブレード取り付け工程の後に取り付けられることを特徴とする請求項１〜請求項６のいずれか一つに記載の現像カートリッジの組み立て方法。
【請求項８】
電子写真画像形成装置本体に着脱可能な現像カートリッジにおける現像ブレードの交換方法において、
（ａ）現像フレームから現像ブレードを取り外す現像ブレード取り外し工程と、
（ｂ）現像フレームからトナー塗布ローラを取り外すトナー塗布ローラ取り外し工程と、
（ｃ）トナーを収納しているトナー収納部を有するトナーフレームと、トナーフレームと結合している現像フレームとを有するＤＴ容器ユニットから第一のサイドカバーを取り外す第一のサイドカバー取り外し工程、ＤＴ容器ユニットから第二のサイドカバーを取り外す第二のサイドカバー取り外し工程、及び現像ローラ取り外し工程のいずれかの工程の前に、電荷付与ローラを取り外す電荷付与ローラ取り外し工程と、
（ｄ）現像フレームに、現像ローラにトナーを塗布するトナー塗布ローラを取り付けるトナー塗布ローラ取り付け工程と、
を有し、
（ｅ）現像フレームに、現像ローラの周面に付着するトナーの量を規制する現像ブレードを取り付ける現像ブレート取り付け工程、現像ローラの一端側であって、現像フレームに第一のサイドカバーを取り付ける第一のサイドカバー取り付け工程、現像ローラの他端側であって、現像フレームに第二のサイドカバーを取り付ける第二のサイドカバー取り付け工程のいずれかの工程の次に、電荷付与ローラを取り付けるにあたって、電荷付与ローラを支持している電荷付与ローラ支持部材の長手方向の一端側を電圧の供給を受けるためのフレーム電圧供給接点と接触させ、他端側が装置本体とアースをとるためのフレームアース接点部材と接触させるように、電荷付与ローラを現像フレームに取り付ける電荷付与ローラ取り付け工程と、
を有することを特徴とする現像ブレードの交換方法。
【請求項９】
現像ブレードを取り付けるにあたって現像フレームに設けられた、位置決めのための突起に下側保持部材、現像ブレード、及び、上側保持部材を位置決めした後に、下側保持部材、現像ブレード、及び、上側保持部材を現像フレームにネジ留めすることを特徴とする請求項８に記載の現像ブレードの交換方法。
【請求項１０】
更に、トナー収納部からトナーが漏れ出るのを防止し、また現像カートリッジを使用するのに先立って使用者によって除去されるトナーシールを、ＤＴ容器ユニットの有するトナーフレームと現像フレームとの間に取り付けるトナーシール取付け工程を有することを特徴とする請求項８または請求項９に記載の現像ブレードの交換方法。
【請求項１１】
更に、ＤＴ容器ユニットにトナー塗布ローラを取り付けられるのに先立って、その周面にトナーを付着させるトナー付着工程を有することを特徴とする請求項８〜請求項１０のいずれか一つに記載の現像ブレードの交換方法。
【請求項１２】
更に、ＤＴ容器ユニットには、トナーに電荷を付与する電荷付与ローラが現像ブレード取付け工程の後に取り付けられることを特徴とする請求項８〜請求項１１のいずれか一つに記載の現像ブレードの交換方法。
【請求項１３】
トナー収納部にはトナーが再充填されることを特徴とする請求項８〜請求項１２のいずれか一つに記載の現像ブレードの交換方法。
【請求項１４】
現像ローラ、トナー塗布ローラは、再使用部品であることを特徴とする請求項８〜請求項１３のいずれか一つに記載の現像ブレードの交換方法。
【手続補正２】
【補正対象書類名】明細書
【補正対象項目名】０００８
【補正方法】変更
【補正の内容】
【０００８】
【課題を解決するための手段】
上記目的を達成するための本発明に係る代表的な構成は、
（１）：電子写真画像形成装置本体に着脱可能な現像カートリッジの組み立て方法において、（ａ）トナーを収納しているトナー収納部を有するトナーフレームと、トナーフレームと結合している現像フレームとを有するＤＴ容器ユニットを準備して、（ｂ）現像フレームに、現像ローラにトナーを塗布するトナー塗布ローラを取り付けるトナー塗布ローラ取り付け工程と、を有し、（ｃ）現像フレームに、現像ローラの周面に付着するトナーの量を規制する現像ブレードを取り付ける現像ブレート取り付け工程、現像ローラの一端側であって、現像フレームに第一のサイドカバーを取り付ける第一のサイドカバー取り付け工程、及び、現像ローラの他端側であって、現像フレームに第二のサイドカバーを取り付ける第二のサイドカバー取り付け工程のいずれかの工程の次に、現像フレームに電荷付与ローラを取り付けるにあたって、電荷付与ローラを支持している電荷付与ローラ支持部材の長手方向の一端側を電圧の供給を受けるためのフレーム電圧供給接点と接触させ、他端側を装置本体とアースをとるためのフレームアース接点部材と接触させるように電荷付与ローラを現像フレームに取り付ける電荷付与ローラ取り付け工程と、を有することを特徴とする現像カートリッジの組み立て方法である。
（２）：電子写真画像形成装置本体に着脱可能な現像カートリッジにおける現像ブレードの交換方法において、（ａ）現像フレームから現像ブレードを取り外す現像ブレード取り外し工程と、（ｂ）現像フレームからトナー塗布ローラを取り外すトナー塗布ローラ取り外し工程と、（ｃ）トナーを収納しているトナー収納部を有するトナーフレームと、トナーフレームと結合している現像フレームとを有するＤＴ容器ユニットから第一のサイドカバーを取り外す第一のサイドカバー取り外し工程、ＤＴ容器ユニットから第二のサイドカバーを取り外す第二のサイドカバー取り外し工程、及び現像ローラ取り外し工程のいずれかの工程の前に、電荷付与ローラを取り外す電荷付与ローラ取り外し工程と、（ｄ）現像フレームに、現像ローラにトナーを塗布するトナー塗布ローラを取り付けるトナー塗布ローラ取り付け工程と、を有し、（ｅ）現像フレームに、現像ローラの周面に付着するトナーの量を規制する現像ブレードを取り付ける現像ブレート取り付け工程、現像ローラの一端側であって、現像フレームに第一のサイドカバーを取り付ける第一のサイドカバー取り付け工程、現像ローラの他端側であって、現像フレームに第二のサイドカバーを取り付ける第二のサイドカバー取り付け工程のいずれかの工程の次に、電荷付与ローラを取り付けるにあたって、電荷付与ローラを支持している電荷付与ローラ支持部材の長手方向の一端側を電圧の供給を受けるためのフレーム電圧供給接点と接触させ、他端側が装置本体とアースをとるためのフレームアース接点部材と接触させるように、電荷付与ローラを現像フレームに取り付ける電荷付与ローラ取り付け工程と、を有することを特徴とする現像ブレードの交換方法である。


【手続補正３】
【補正対象書類名】明細書
【補正対象項目名】０３５６
【補正方法】変更
【補正の内容】
【０３５６】
【発明の効果】
以上、説明したように、本発明の現像カートッリジの組み立て方法によれば、現像フレームに電荷付与ローラを簡単に、かつ容易に組み付けることができる。


【手続補正４】
【補正対象書類名】明細書
【補正対象項目名】０３５７
【補正方法】変更
【補正の内容】
【０３５７】
また、本発明の現像ブレードの交換方法によれば、現像カートリッジにおいて現像ブレードを簡単に交換することができる。